(57)【特許請求の範囲】
【請求項１】
浴槽から浴水を給水側管路から汲み上げて循環させるために給水側管路に設けられた循環ポンプと、該循環ポンプの送り出し側に設けられて、浴水を低温から高温に加熱可能としたヒータと、給水側管路から給水される浴水から微細なごみ及び汚れなる不純物を濾過するために給水側管路に接続して設けられたフィルタと、該フィルタから流出する浴水を流出側管路により前記浴槽に戻るように前記循環ポンプとヒータとフィルタとを接続する循環管路とを備えた浴水循環装置において、
一端において前記流出側管路の噴出部側に設けられた第２切換弁（Ｖ２）を介して接続されて、他端を前記ポンプの吸い込み側の前記給水側管路に接続した連結管路と、一端において前記流出側管路に前記第２切換弁（Ｖ２）に近接して設けられた第３切換弁（Ｖ３）を介して接続されて、他端を前記ポンプの送り出し側に接続されるように前記循環管路に接続した副連結管路とを備え、
通常運転モードでは前記第３切換弁（Ｖ３）を切換えて前記副連結管路の循環通水を行えるようにし、熱水による管路洗浄する熱水管路洗浄モードでは前記連結管路が接続する前記第２切換弁（Ｖ２）を切り換えて前記連結管路を介して循環通水して前記ヒータにて高温の管路洗浄を行うようにすると共に、逆洗により排水する逆洗モードでは前記副連結管路が接続する前記第３切換弁（Ｖ３）を切り換えて前記副連結管路を介して逆方向に循環して前記給水側管路から汲み上げた浴水を前記フィルタに逆方向に通水して、前記副連結管路より下流の給水側の循環管路に設けられた第１切換弁（Ｖ１）を介して接続された排水管から前記給水側管路から汲み上げた浴水とともに排水可能にしたことを特徴とする浴水循環装置における管路浄化装置。
【請求項２】
浴槽から浴水を給水側管路から汲み上げて循環させるために給水側管路に設けられた循環ポンプと、該循環ポンプの送り出し側に設けられて、浴水を低温から高温に加熱可能としたヒータと、給水側管路から給水される浴水から微細なごみ及び汚れなる不純物を濾過するために給水側管路に接続して設けられたフィルタと、該フィルタから流出する浴水を流出側管路により前記浴槽に戻るように前記循環ポンプとヒータとフィルタとを接続する循環管路とを備えた浴水循環装置において、一端において前記流出側管路の噴出部側に設けられた第２切換弁（Ｖ２）を介して接続されて、他端を前記ポンプの吸い込み側の前記給水側管路に接続した連結管路と、一端において前記連結管路に設けられた第３切換弁（Ｖ３）を介して接続されて、他端を前記ポンプの送り出し側の前記循環管路に接続した副連結管路とを備え、通常運転モードでは前記第３切換弁（Ｖ３）を切換えて前記副連結管路の循環通水を行えるようにし、熱水による管路洗浄する熱水管路洗浄モードでは前記連結管路が接続する前記第２切換弁（Ｖ２）及び第３切換弁（Ｖ３）を切り換えて前記連結管路を介して循環通水して前記ヒータにて高温の管路洗浄を行うようにすると共に、逆洗により排水する逆洗モードでは前記副連結管路が接続する前記第３切換弁（Ｖ３）を切り換えて前記副連結管路を介して逆方向に循環して前記給水側管路から汲み上げた浴水を前記フィルタに逆方向に通水して、前記副連結管路より下流の給水側の循環管路に設けられた第１切換弁（Ｖ１）を介して接続された排水管から排水可能にしたことを特徴とする浴水循環装置における管路浄化装置。
【発明の詳細な説明】
【０００１】
【発明に属する技術分野】
本発明は、循環管路内にて順方向循環と逆方向循環ができ、且つ閉ループ状の管路内にて熱水洗浄ができ、洗浄後には浴槽外に排水することができ、且つ３つの弁にて循環制御できる浴水循環装置における管路浄化装置に関する。この明細書において、熱水とは、約７０℃以上の温湯をいう。
【０００２】
【従来の技術】
従来の浴水循環装置は、長期間の使用により装置本体と配管に微生物膜が付着することがあり、安全衛生問題のため、ある一定期間毎に装置を殺菌、洗浄する必要があった。またその方法は浴槽内の湯に直接殺菌剤を投入し、装置を循環させるものであった。
【０００３】
【発明が解決しようとする課題】
そのため、１）浴槽の湯に殺菌剤を投入するために、多量の薬品を使わなければならず、不経済であった。２）作業者が汚水に接触する可能性があるために高濃度の殺菌剤が使用できず、洗浄効果に限界があった。３）洗浄時、汚水が浴槽を循環するために、洗浄後のすすぎの手間がかかった。また衛生面での問題もあった。このため、これらを解決することが特に要望されている。この点を、当該出願人は、循環管路内のみを熱水にて熱水洗浄する装置を開発した。しかるに、弁部位が多く、価格が割高となる問題点があった。また、フィルタのタンク内の活性炭等を確実に洗浄することが難しい問題があった。
【０００４】
そこで発明者は、前記課題を解決すべく、鋭意，研究を重ねた結果、その発明を、浴槽から浴水を給水側管路から汲み上げて循環させるために給水側管路に設けられた循環ポンプと、該循環ポンプの送り出し側に設けられて、浴水を低温から高温に加熱可能としたヒータと、給水側管路から給水される浴水から微細なごみ及び汚れなる不純物を濾過するために給水側管路に接続して設けられたフィルタと、該フィルタから流出する浴水を流出側管路により前記浴槽に戻るように前記循環ポンプとヒータとフィルタとを接続する循環管路とを備えた浴水循環装置において、一端において前記流出側管路の噴出部側に設けられた第２切換弁（Ｖ２）を介して接続されて、他端を前記ポンプの吸い込み側の前記給水側管路に接続した連結管路と、一端において前記流出側管路に前記第２切換弁（Ｖ２）に近接して設けられた第３切換弁（Ｖ３）を介して接続されて、他端を前記ポンプの送り出し側に接続されるように前記循環管路に接続した副連結管路とを備え、通常運転モードでは前記第３切換弁（Ｖ３）を切換えて前記副連結管路の循環通水を行えるようにし、熱水による管路洗浄する熱水管路洗浄モードでは前記連結管路が接続する前記第２切換弁（Ｖ２）を切り換えて前記連結管路を介して循環通水して前記ヒータにて高温の管路洗浄を行うようにすると共に、逆洗により排水する逆洗モードでは前記副連結管路が接続する前記第３切換弁（Ｖ３）を切り換えて前記副連結管路を介して逆方向に循環して前記給水側管路から汲み上げた浴水を前記フィルタに逆方向に通水して、前記副連結管路より下流の給水側の循環管路に設けられた第１切換弁（Ｖ１）を介して接続された排水管から前記給水側管路から汲み上げた浴水とともに排水可能にしたことを特徴とする浴水循環装置における管路浄化装置としたことにより、前記課題を解決したものである。
【０００５】
【実施の形態】
以下、本発明の実施の形態について図面に基づいて説明すると、まず第１の実施の形態では、図１乃至図３に示すように、浴水循環装置は、主に、浴水を低温から高温に加熱するセラミックヒータ等のヒータ１と、微細なごみ及び汚れなる不純物を浴水から濾過するフィルタ２と、浴水を殺菌する紫外線殺菌装置３と、浴水を循環させるための循環ポンプＰと、該循環ポンプＰにて浴水が浴槽１１から浴槽１１に戻るように循環する循環管路５等とから構成されている。
【０００６】
そのフィルタ２は、外装がタンク２ａとして構成され、その内部には、精密フィルタ又は普通フィルタが存在し、活性石，活性炭を充填したものとして吸着剤濾材フィルタ材として使用され、不純物で微細なるごみ及び汚れを除去するものである。このタンク２ａでは、通常は上側から浴水が浸入し、下側から排出する順方向循環となり、エア排出等や，熱水排水の場合には、下側から浴水が浸入し、上側から排出する逆方向循環となるように構成されている。
【０００７】
連結管路６は、前記循環管路５の吸込み側寄りの適宜な位置と、前記循環管路５の流出側寄りの適宜な位置とを連結すると前記循環管路５の流出側管路５ｂの適宜な位置とを連結するように構成され、前記循環ポンプＰ，ヒータ１，フィルタ２，紫外線殺菌装置３を配置された循環管路５と連結管路６とで閉ループが構成されている。前記循環管路５において、前記連結管路６の両端との結合箇所よりも、吸込み側を給水側管路５ａと、流出側を流出側管路５ｂとそれぞれ称する。前記給水側管路５ａ及び流出側管路５ｂ上には、前記循環ポンプＰ，ヒータ１，フィルタ２，紫外線殺菌装置３は設けられないように構成されている。また、循環ポンプＰとヒータ１との循環管路５の適宜の箇所と、前記連結管路６よりも前記紫外線殺菌装置３寄りの循環管路５の適宜の箇所との間副連結管路７が設けられている。前記給水側管路５ａの吸込み口には、プレフィルタ９が、前記流出側管路５ｂの流出口には、ジェット噴流が出るように噴出部１０が設けられている。また、前記連結管路６は、なるべくプレフィルタ９，噴出部１０寄りに設けられることが好ましい。
【０００８】
また、前記循環管路５には第１三方弁Ｖ１，第２三方弁Ｖ２，第３三方弁Ｖ３が適宜設けられている。具体的には、第１三方弁Ｖ１は、前記副連結管路７の基部と前記ヒータ１との間の循環管路５の適宜の位置に，第２三方弁Ｖ２は流出側管路５ｂ側の連結管路６の基部に，第３三方弁Ｖ３は流出側管路５ｂ側の副連結管路７の基部にそれぞれ設けられている。また、第１三方弁Ｖ１の排水側には、排水管８の一端が連結され、該排水管８の他端は、浴槽１１外に流出するように構成されている。
【０００９】
前述の第１の実施形態において、図１のような通常運転モードとなり、図１の第３三方弁Ｖ３はポート▲１▼▲２▼からポート▲３▼に連通するように切換えると、バイパスジェットモードとなる。即ち、浴水は紫外線殺菌装置３及びフィルタ２箇所のように抵抗のある箇所を通過せずに、専ら副連結管路７を通過するようになって浴水の流速が早まりジェット噴流が容易にできる。図２では、熱水管路洗浄モードであり、循環管路５と連結管路６との閉ループを熱水が循環して洗浄する。また、逆洗モードは、図３に示す構成であり、浴水が副連結管路７と連結管路６とを通過して逆方向循環をなし、これで第１三方弁Ｖ１のポート▲１▼からポート▲２▼に連通するように切換えれてその洗浄した浴水は排水管８を介して外部に流出する。また、排水モードの場合には、第１三方弁Ｖ１のポート▲１▼▲３▼からポート▲２▼に連通するようにして，熱水と浴水とを混合させて排出する。
【００１０】
第２の実施形態では、図４乃至図６に示すように、前記ヒータ１，フィルタ２紫外線殺菌装置３，循環ポンプＰ、循環管路５，連結管路６，排水管８の第１の実施の形態と同一であるが、副連結管路７は、前記連結管路６の中間の適宜の位置と前記循環ポンプＰ位置よりもヒータ１寄りの循環管路５の適宜な位置とが連結されている。また、第１三方弁Ｖ１，第２三方弁Ｖ２の取付位置も第１の実施の形態と同一であり、第３三方弁Ｖ３は前記連結管路６と副連結管路７との接続位置に設けられている。前述の第２の実施形態において、図４のように通常運転モードとなり、図５では、熱水管路洗浄モードであり、図６では、逆洗モードである。さらに、このモードにおいて第１三方弁Ｖ１のポート▲１▼▲３▼からポート▲２▼に連通するように切換えると、熱水と浴水とを混合させて排出する排水モードとなる。
【００１１】
第３の実施形態では、図７乃至図９に示すように、前記ヒータ１，フィルタ２紫外線殺菌装置３，循環ポンプＰ、循環管路５，連結管路６，排水管８の第１の実施の形態と同一であるが、副連結管路７は、前記連結管路６の基部よりも流出側寄りの循環管路５の適宜な位置と前記循環ポンプＰ位置よりもヒータ１寄りの循環管路５の適宜な位置とが連結されている。また、第１三方弁Ｖ１，第２三方弁Ｖ２，第３三方弁Ｖ３はそれぞれ第１の実施の形態と同様に設けられている。前述の第３の実施形態において、図７のように通常運転モードとなり、図８では、熱水管路洗浄モードであり、図９では、逆洗モードである。さらに、このモードにおいて第１三方弁Ｖ１のポート▲１▼▲３▼からポート▲２▼に連通するように切換えると、熱水と浴水とを混合させて排出する排水モードにできる。
【００１２】
【発明の効果】
請求項１の発明においては、第１に切換弁３個にて、循環管路５と連結管路６とで閉ループを構成し、熱水浄化循環ができる。特に３個という最小個数の切換弁にて弁制御できる利点がある。また、その副連結管路７を介して逆洗が可能であり、これによってフィルタ等を良好に洗浄且つ殺菌ができる。このように、熱水殺菌で行なうために、レジオネラ菌のみならず、クリプトスポリジウム菌等に対しても死滅させることができ、極めて安全且つ衛生的である。また、管路洗浄終了後、循環路を切替えることで洗浄後の熱水化した汚水は直接浴槽に排水されず排水管８を介して排水口に排出されるため浴槽１１のすすぎの手間もない等の利点もある。
【００１３】
請求項２の発明でも、連結管路６及び副連結管路７の取付構成が請求項１の発明とは異なるが、請求項２の発明でも請求項１と同様なる効果を奏する。
【図面の簡単な説明】
【図１】本発明の第１の実施の形態による通常運転モード状態の略示図
【図２】本発明の第１の実施の形態による熱水管路洗浄モード状態の略示図
【図３】本発明の第１の実施の形態による逆洗モード状態の略示図
【図４】本発明の第２の実施の形態による通常運転モード状態の略示図
【図５】本発明の第２の実施の形態による熱水管路洗浄モード状態の略示図
【図６】本発明の第２の実施の形態による逆洗モード状態の略示図
【図７】本発明の第３の実施の形態による通常運転モード状態の略示図
【図８】本発明の第３の実施の形態による熱水管路洗浄モード状態の略示図
【図９】本発明の第３の実施の形態による逆洗モード状態の略示図
【符号の説明】
１…ヒータ
２…フィルタ
５…循環管路
６…連結管路
７…副連結管路
８…排水管
１１…浴槽
Ｐ…循環ポンプ
Ｖ１…第１三方弁
Ｖ２…第２三方弁
Ｖ３…第３三方弁
【図１】
0003881430.tif 000002
【図２】
0003881430.tif 000003
【図３】
0003881430.tif 000004
【図４】
0003881430.tif 000005
【図５】
0003881430.tif 000006
【図６】
0003881430.tif 000007
【図７】
0003881430.tif 000008
【図８】
0003881430.tif 000009
【図９】
0003881430.tif 000010